(57)【要約】      （修正有）【課題】現場にて職人が容易に立上部の高さやベース部の厚み調整する作業が行える利便性を備えたベース部と基礎立上部とを一時に一体的に形成することができるベタ基礎工事に用いる型枠固定具を提供する。【解決手段】ベース部と立上部のコンクリートを１回のコンクリート打ちで形成するベタ基礎工事に用いる型枠固定具１であって、型枠固定具１は、棒状の本体部３、本体部３の一端に設けられた型枠立設部５、本体部３の他端に設けられた嵌合部６、及び型枠に設けられた孔に嵌合部６を嵌めてナットを用いて該型枠に挟持させる挟持部７を有している。【選択図】図１
0003223838.tif 000002
【実用新案登録請求の範囲】
【請求項１】
ベース部と立上部のコンクリートを１回のコンクリート打ちで形成するベタ基礎工事に用いる型枠固定具（１）であって、
型枠固定具（１）は、棒状の本体部（３）、本体部（３）の一端に設けられた型枠立設部（５）、本体部（３）の他端に設けられた嵌合部（６）、及び型枠に設けられた孔に嵌合部（６）を嵌めてナットを用いて該型枠に挟持させる挟持部（７）を有している、型枠固定具。
【請求項２】
前記型枠固定具（１）は、本体部（３）に連結、あるいは一体形成され、孔があけられた前記型枠にあてることで本体部（３）を補助的に支持する本体部支持部（８）を有している、請求項１に記載の型枠固定具。
【請求項３】
請求項１または請求項２に記載の型枠固定具（１）と型枠固定具（２０）を備えた型枠固定具セットであって、
型枠固定具（２０）は、土台（２１）、二つの型枠を立設たせる第１型枠立設部（２５ａ）、第２型枠立設部（２５ｂ）を有する型枠立設部（２５）、及び土台（２１）と型枠立設部（２５）とを連結して支持する支持軸（２３）とを有している、型枠固定具セット。
【考案の詳細な説明】
【技術分野】
【０００１】
本考案は、ベタ基礎工事に用いる型枠固定具に関する。
【背景技術】
【０００２】
従来、ベース部と基礎立上部とを一時に一体的に形成することができるベタ基礎工事に用いる型枠固定具がある。
【先行技術文献】
【特許文献】
【０００３】
【特許文献１】特開平１０−１４７９４４公報
【考案の概要】
【考案が解決しようとする課題】
【０００４】
しかし、特許文献１に示す技術では、型枠に金属製型枠板３２、３３を用いる構成であるため、基礎立上部の高さが、予め準備した型枠の高さにあわない場合において、現場にて職人が容易に立上部の高さやベース部の厚みを調整する作業が行えないという問題がある。
【０００５】
本考案の目的は、このようなことに鑑みてなされたものであり、現場にて職人が容易に立上部の高さやベース部の厚み調整する作業が行える利便性を備えたベース部と基礎立上部とを一時に一体的に形成することができるベタ基礎工事に用いる型枠固定具を提供することである。
【課題を解決するための手段】
【０００６】
上記目的は、
ベース部と立上部のコンクリートを１回のコンクリート打ちで形成するベタ基礎工事に用いる型枠固定具（１）であって、
型枠固定具（１）は、棒状の本体部（３）、本体部（３）の一端に設けられた型枠立設部（５）、本体部（３）の他端に設けられた嵌合部（６）、及び型枠に設けられた孔に嵌合部６を嵌めてナットを用いて該型枠に挟持させる挟持部（７）を有している、型枠固定具、
によって達成される。
【０００７】
また、上記目的は、
前記型枠固定具（１）は、本体部（３）に連結、あるいは一体形成され、孔が設けられた前記型枠にあてることで本体部（３）を補助的に支持する本体部支持部（８）を有している、上記の型枠固定具、
によって達成される。
【０００８】
また、上記目的は、
上記の型枠固定具（１）と型枠固定具（２０）を備えた型枠固定具セットであって、
型枠固定具（２０）は、土台（２１）、二つの型枠を立設たせる第１型枠立設部（２５ａ）、第２型枠立設部（２５ｂ）を有する型枠立設部（２５）、及び土台（２１）と型枠立設部（２５）とを連結して支持する支持軸（２３）とを有している、型枠固定具セット、
によって達成される。
【考案の効果】
【０００９】
本考案によれば、現場にて職人が臨機応変に型枠の高さを調整する作業が行える利便性を備えたベース部と基礎立上部とを一時に一体的に形成することができるベタ基礎工事方法を提供することができる。
【図面の簡単な説明】
【００１０】
【図１】本考案の実施形態による型枠固定具１を説明する図である。
【図２】本考案の実施形態による型枠固定具１を説明する図である。
【図３】本考案の実施形態による型枠固定具１の使用例を説明する図である。
【図４】本考案の実施形態による型枠固定具２０を説明する図である。
【図５】本考案の実施形態による型枠固定具２０を説明する図である。
【図６】本考案の実施形態による型枠固定具１、２０の使用例を説明する図である。
【考案を実施するための形態】
【００１１】
以下、図１〜図６を用いて、本考案の実施形態によるベース部と基礎立上部とを一時に一体的に形成することができるベタ基礎工事に用いる型枠固定具を説明する。なお、以下の全ての図面においては、理解を容易にするため、各構成要素の寸法や比率などは適宜異ならせて図示する場合がある。
【００１２】
図１は、本考案の実施形態によるベタ基礎工事にて用いる型枠固定具１の正面図であり、図２は、型枠固定具１の上面図である。型枠固定具１は、棒状の本体部３、本体部３の一端に設けられた後述する金属製型枠５０を嵌めて立たせる型枠立設部５、本体部３の他端に設けられたねじ切加工が施された嵌合部６、後述する木製型枠３０に設けられた孔に嵌合部６を嵌めてナットを用いて木製型枠３０に挟持させる挟持部７、及び本体部３に連結、あるいは一体形成され、木製型枠３０にあてることで本体部３を補助的に支持する本体部支持部８とで構成される。本実施形態の型枠固定具１は、鉄製であり、少なくとも、嵌合部６と本体部支持部８のコンクリート基礎から露出する箇所付近についてはさび止め処理を施している。なお、型枠固定具１は、鉄以外の金属を用いてもよいし、剛性の高いプラスチックや木材やセラミックス等を用いてもよい。
【００１３】
図３は、本考案の実施形態によるベース部と立上部のコンクリートを１回のコンクリート打ちで形成するベタ基礎工事方法を用いて形成したベタ基礎１００の外周部の立上部の断面状態を示している。図３に示す点線部は、コンクリート鉄筋を示している。
【００１４】
図３に示すように、本実施形態によるベタ基礎工事方法によれば、ベタ基礎の外周部の立上部の型枠を立設させるのに型枠固定具１を用い、立設させた型枠を上端で固定させるのに型枠固定具１０を用いている。ベタ基礎の外周部の立上部の外側の壁面を形成するための型枠は木製型枠３０を用い、ベタ基礎の外周部の立上部の内側の壁面を形成するための型枠は金属製型枠５０を用いる。なお、型枠固定具１の下部に薄板状の型枠をあて込み、コンクリート打ちを行うようにしてもよい。このようにすることで、立上の内側をきれいに仕上げることが容易となる。
【００１５】
図４は、本考案の実施形態によるベタ基礎工事方法にて用いる型枠固定具２０の正面図であり、図５は、型枠固定具２０の右側面図である。型枠固定具２０は、型枠固定具２０は、ベタ基礎の外周部の内側の立上部を形成するために用いられる。型枠固定具２０は、土台２１、金属製型枠５０を嵌めて立たせる第１型枠立設部２５ａ、第２型枠立設部２５ｂを有する型枠立設部２５、及び土台２１と型枠立設部２５とを連結して支持する支持軸２３とで構成される。本実施形態の型枠固定具２０は、鉄製である。なお、型枠固定具２０は、鉄以外の金属を用いてもよいし、剛性の高いプラスチックや木材やセラミックス等を用いてもよい。
【００１６】
図４に示すように、型枠固定具２０の支持軸２３は、型枠立設部２５の中心に連結し、逆コの字状に左側に折れ曲がっている。これにより、ベース部の縦に走る鉄筋をよける空間が確保されることになる。また、支持軸２３の上端部には型枠立設部２５の高さを調整するためのねじ部が設けられる。
【００１７】
図６は、本考案の実施形態によるベース部と立上部のコンクリートを１回のコンクリート打ちで形成するベタ基礎工事方法を用いて形成したベタ基礎１００の断面状態を示している。図６に示す点線部は、コンクリート鉄筋を示している。
【００１８】
図６に示すように、本考案の実施形態による型枠固定具を用いたベタ基礎工事においては、ベース部の外周に設けられる立上部の型枠には、木製型枠３０と金属製型枠５０が用いられ、ベース部の外周内側に設けられる立上部の型枠には、金属製型枠５０が用いられる。
【００１９】
本考案の実施形態によるベタ基礎工事に用いる型枠固定具を用いることで、以下の効果を奏する。
（あ）金属製の型枠のみを用いる場合よりも、コストを低く抑えることができる。
（い）外側の型枠を木製型枠にすることで、職人が現場にて木製型枠の高さを容易に調整する加工を施すことで立上部の高さを調整することが可能である。
（う）ベース部の外周に設ける立上部を形成するための型枠固定具を安価な木製型枠に孔を設けて固定することで、施工の容易性とコスト低下が実現できる。
（え）ベース部の外周に設ける立上部を形成するための型枠固定具を設ける位置を容易に変更することでベース部の厚みの変更が容易であり、汎用性が高い。
（お）３種類の型枠固定具のみを用いることでベース部と立上部のコンクリートを１回のコンクリート打ちで形成することが可能であるため、施工の簡便性、期間の短縮、および低コストが実現できる。
（か）ベース部の外周の内側の立上部には金属製型枠を用いることで、金属性型枠のメリット（作業の確実性や再利用による劣化減等）も享受できる。
【００２０】
上述の実施形態は、本考案の好適な一例であるので、技術的に好ましい種々の限定が付されているが、本考案の範囲は、上述の説明によって不当に限定されるものではない。また、上述の実施形態で説明される構成の全てが本考案の必須の構成要件ではない。また、上述の実施形態で説明される構成は相互に付け足したり組み合わせたりしてもよい。
【産業上の利用可能性】
【００２１】
本考案は、木製及び金属製の型枠を用いたベース部と立上部のコンクリートを１回のコンクリート打ちで形成するベタ基礎工事に用いる型枠固定具のみならず、木製のみ又は金属製のみの型枠を用いたベース部と立上部のコンクリートを１回のコンクリート打ちで形成する型枠固定具や通常のベース部と立上部のコンクリートを２回のコンクリート打ちで形成する型枠固定具においても広く利用可能である。
【符号の説明】
【００２２】
１、１０、２０  型枠固定具
３  本体部
５、２５  型枠立設部
６  嵌合部
７  挟持部
８  本体部支持部
３０  木製型枠
５０  金属製型枠
１００  ベタ基礎
【図１】
0003223838.tif 000003
【図２】
0003223838.tif 000004
【図３】
0003223838.tif 000005
【図４】
0003223838.tif 000006
【図５】
0003223838.tif 000007
【図６】
0003223838.tif 000008